(57)【要約】      （修正有）【課題】樹脂製のバルブカバーの樹脂材料の使用量を抑えつつ、室外機を運ぶための取手部をバルブカバーに容易に形成することができ、かつ、バルブカバーに形成した取手部の強度が低下することがないようにした空気調和機の室外機を提供する。【解決手段】筺体１０と、筺体１０の側面板１３に設けられた端子３０と、端子３０の下方に設けられたバルブ４０とを備える空気調和機の室外機１であり、端子３０を覆うように筺体１０の側面板１３に取付けられる金属製の端子カバー５０と、端子カバー５０の下部５１を覆うように重ね合わせる重合部６１とバルブ４０を覆う膨出部６２とを有し端子カバー５０とともに筺体１０の側面板１３に固定される樹脂製のバルブカバー６０とを備え、バルブカバー６０の膨出部６２には、重合部６１の下方近傍の位置に筺体１０の側面板１３に向かって凹ませた取手部６２０が形成されている。【選択図】図１
2014145567.tif 000002
【特許請求の範囲】
【請求項１】
筺体と、前記筺体の側面に設けられた端子と、前記端子の下方に設けられたバルブとを備える空気調和機の室外機において、
前記空気調和機の室外機は、前記端子を覆うように前記筺体の側面に取付けられる金属製の端子カバーと、同端子カバーの下部を覆うように重ね合わせる重合部と前記バルブを覆う膨出部とを有し前記端子カバーとともに前記筺体の側面に固定される樹脂製のバルブカバーとを備え、
前記バルブカバーの膨出部には、前記重合部の下方近傍の位置に前記筺体の側面に向かって凹ませた取手部が形成されていることを特徴とする空気調和機の室外機。
【請求項２】
前記バルブカバーの膨出部は前記重合部の下部に徐々に外側に傾斜する傾斜面を有し、前記取手部は同傾斜面に形成されているとともに前記バルブの上方の位置に形成されていることを特徴とする請求項１記載の空気調和機の室外機。
【発明の詳細な説明】
【技術分野】
【０００１】
本発明は、空気調和機の室外機に係わり、特に、室外機の筺体の側面に固定される電装カバーの構造に関する。
【背景技術】
【０００２】
空気調和機の室外機は、筺体の右側面の上下に端子とバルブが配置され、端子とバルブを電装カバーで覆う構造になっている。従来の端子とバルブを電装カバーで覆う構造としては、端子を金属製の端子カバーで覆い、バルブを覆う樹脂製のバルブカバーを端子カバーの上から重ね合せて筺体の右側面に固定する構造になっている（例えば、特許文献１参照）。また、この電装カバーは、室外機を運ぶための取手部となる凹部が端子カバーとバルブカバーの重なる部分に筺体の右側面に向かって形成されている。
【０００３】
しかしながら、バルブカバーを端子カバーの上から重ね合せて固定する構造であるため、バルブカバーが大型になり多量の樹脂材料が必要になっていた。また、取手部が端子カバーとバルブカバーが重なる部分に形成されているため、取手部に手指を掛けて室外機を運ぶときに取手部の強度を得ることができる反面、端子カバーとバルブカバーの両方に凹部を形成しなければならず、特に金属製の端子カバーに凹部を形成するのが難しかった。
【０００４】
これらの課題を解決するため、端子カバーに取手部を形成せずに、端子カバーと重ならないようにバルブカバーに取手部を形成することが考えられるが、バブルカバーのみに取手部を形成することになるため、取手部の強度が低下するおそれがあった。また、この場合には、端子カバーとバルブカバーを別々に固定することになるため、端子カバーとバルブカバーの取付作業性が悪くなるおそれがあった。
【先行技術文献】
【特許文献】
【０００５】
【特許文献１】特開平７−６３３７６号公報
【発明の概要】
【発明が解決しようとする課題】
【０００６】
本発明は上記問題点に鑑み、樹脂製のバルブカバーの樹脂材料の使用量を抑えつつ、室外機を運ぶための取手部をバルブカバーに容易に形成することができ、かつ、バルブカバーに形成した取手部の強度が低下することがないようにした空気調和機の室外機を提供することを目的とする。
【課題を解決するための手段】
【０００７】
上記課題を解決するため、本発明の空気調和機の室外機は、筺体と、筺体の側面に設けられた端子と、端子の下方に設けられたバルブとを備える。この室外機は、端子を覆うように筺体の側面に取付けられる金属製の端子カバーと、端子カバーの下部を覆うように重ね合わせる重合部とバルブを覆う膨出部とを有し端子カバーとともに筺体の側面に固定される樹脂製のバルブカバーとを備える。バルブカバーの膨出部には、重合部の下方近傍の位置に筺体の側面に向かって凹ませた取手部が形成されている。
【発明の効果】
【０００８】
本発明の空気調和機の室外機によれば、樹脂製のバルブカバーの重合部を金属製の端子カバーの下部を覆うように重ね合わせるため、バルブカバーで端子カバー全体を覆わなくて済むので、バルブカバーの樹脂材料の使用量を抑えることができる。
また、樹脂製のバルブカバーの膨出部には、バルブカバーの重合部の下方近傍の位置に取手部が形成されているので、室外機を運ぶための取手部を金属製の端子カバーに形成しなくて済み、取手部をバルブカバーに容易に形成することができ、その取手部の強度を確保することができる。
さらに、樹脂製のバルブカバーの膨出部に取手部が形成されているため、金属製の端子カバーと樹脂製のバルブカバーの重なる部分に取手部を形成する場合と比べて取手部の奥行が深くなり、取手部に手指を掛け易くすることができる。
【図面の簡単な説明】
【０００９】
【図１】本発明による空気調和機の室外機を示す分解斜視図である。
【図２】本発明による空気調和機の室外機を示す説明図で、（ａ）は外観斜視図、（ｂ）は金属製の端子カバーと樹脂製のバルブカバーを重ね合せた状態を示す断面図、（ｃ）は金属製の端子カバーと樹脂製のバルブカバーを重ね合せた状態を背面側から見た斜視図である。
【発明を実施するための形態】
【００１０】
以下、本発明の実施形態を添付図面に基づき詳細に説明する。図１および図２は、本実施形態における空気調和機の室外機を説明する図である。図１および図２に示すように、室外機１は、図示しない熱交換器、送風ファン、圧縮機、電装部、冷媒配管などを内部に収容した箱状の筺体１０を備えている。筺体１０は、底板（図示しない）と天板１１と前面板１２と側面板１３とからなっている。筺体１０の前面板１２にはファンガード２０が設けられ、筺体１０の側面板１３には端子３０と端子３０の下方にバルブ４０が設けられている。室外機１は、筺体１０の背面から吸込んだ空気を熱交換器で冷媒と熱交換し、送風ファンの回転によりファンガード２０から吹出す構造になっている。
【００１１】
端子３０は、筺体１０の内部に収容した電装部に接続されるとともに、バルブ４０との間の筺体１０の側面板１３の上を通って室内機に延びる配線３１に接続されている。この端子３０は、筺体１０の側面板１３を矩形状に切欠くことで形成された切欠部１３３を内側に傾斜させて形成した端子台１３１に取付けられている。なお、筺体１０の側面板１３の切欠いた部分には切欠孔１３０が形成される。この端子３０は、筺体１０の側面板１３に取付けられる金属製の端子カバー５０により覆われている。
【００１２】
バルブ４０は、筺体１０の内部に収容した冷媒配管を介して熱交換器や圧縮機に接続されるとともに、室内機に延びる図示しない冷媒配管に接続されている。このバルブ４０は、筺体１０の側面板１３から外側に突出するように配置されている。このバルブ４０は、端子カバー５０とともに筺体１０の側面板１３に固定される樹脂製のバルブカバー６０により覆われている。
【００１３】
端子カバー５０は、外側に膨出した形状になっており、端子３０に接続された配線３１が通るように下縁が開放するように形成されている。この端子カバー５０の下部５１は、バルブカバー６０に重なる部分であり、その下部５１の左隅には、図示しないネジでバルブカバー６０とともに共締めするための共締用孔５１０が形成されている。端子カバー５０の上端には、筺体１０の側面板１３の切欠孔１３０の上縁１３０ａに引掛けるための係止片５２が設けられている。また、端子カバー５０の両側端には、筺体１０の側面板１３の切欠孔１３０の左右の側縁１３０ｂに引掛けるための係止片５３が設けられている。
【００１４】
バルブカバー６０は、外側に膨出した形状になっており、配線３１がバルブ４０の上方に通るように上縁が開放するように形成されている。このバルブカバー６０は、上部に端子カバー５０の下部５１を覆うように重ね合わせる重合部６１と、重合部６１の下部に徐々に外側に傾斜する傾斜面６２１を有し傾斜面６２１と連続的に形成されてバルブ４０を覆う膨出部６２とを備えている。
【００１５】
バルブカバー６０の重合部６１の左隅には、図示しないネジで端子カバー５０とともに共締めするため、端子カバー５０の共締用孔５１０に位置合わせされる円筒状の共締用孔６１０が形成されている。バルブカバー６０の膨出部６２には、重合部６１の下方近傍の位置に筺体１０の側面板１３に向かって凹ませた取手部６２０が形成されている。この取手部６２０は、バルブカバー６０が筺体１０の側面板１３に固定されたときにバルブ４０の上方の位置になるように形成されている。バルブカバー６０の周縁には、側面板１３の配線３１とバルブ４０の周囲に形成された複数の係止孔１３２に引掛けるための複数の係止片６３が設けられている。
【００１６】
次に、筺体１０の側面板１３に端子カバー５０とバルブカバー６０を固定する方法について説明する。図１、図２（ｂ）および図２（ｃ）に示すように、筺体１０の側面板１３の切欠孔１３０の上縁１３０ａならびに左右の側縁１３０ｂに、端子カバー５０の上端に設けられた係止片５２および両側端に設けられた係止片５３を引掛ける。これにより、端子３０と配線３１の上部３１０（端子３０側）が端子カバー５０で覆われる。
【００１７】
その後、筺体１０の側面板１３の複数の係止孔１３２に、バルブカバー６０の周縁に設けられた複数の係止片６３を引掛ける。すると、バルブカバー６０の重合部６１が端子カバー５０の下部５１を覆うように重ね合わされるとともに、端子カバー５０の下部５１に形成された共締用孔５１０に、バルブカバー６０の重合部６１に形成された共締用孔６１０が位置合わせされる。これにより、配線３１の下部３１１（図示しない室内機側）とバルブ４０がバルブカバー６０で覆われる。
【００１８】
次に、端子カバー５０の下部５１に形成された共締用孔５１０およびバルブカバー６０の重合部６１に形成された共締用孔６１０に図示しないネジを通しネジ止めすることで、バルブカバー６０と端子カバー５０が側面板１３に共締めされる。これにより、図２（ａ）に示すように、バルブカバー６０と端子カバー５０が筺体１０の側面板１３に固定される。
【００１９】
以上説明してきた実施形態による空気調和機の室外機１によれば、樹脂製のバルブカバー６０の重合部６１を金属製の端子カバー５０の下部５１を覆うように重ね合わせるため、バルブカバー６０で端子カバー５０の全体を覆わなくて済むので、バルブカバー６０の樹脂材料の使用量を抑えることができる。また、バルブカバー６０の膨出部６２に取手部６２０が形成されているため、バルブカバー６０のみに取手部６２０を形成すればよく、取手部６２０を端子カバー５０に形成しなくて済むので、取手部６２０をバルブカバー６０に容易に形成することができる。さらに、バルブカバー６０の重合部６１の下方近傍の位置に取手部６２０が形成されているため、室外機１を運ぶときに荷重が加わる取手部６２０の強度を確保することができる。
【００２０】
さらに、バルブカバー６０の膨出部６２は重合部６１の下部に徐々に外側に傾斜する傾斜面６２１を有し傾斜面６２１と連続的に形成され、取手部６２０は傾斜面６２１に形成されているとともにバルブ４０の上方の位置に形成されているため、配線３１やバルブ４０に対して邪魔にならずに、背景技術のような端子カバーとバルブカバーの重なる部分に取手部を形成する場合と比べて取手部６２０の奥行が深くなり、取手部６２０に手指を掛け易くすることができる。
【００２１】
なお、バルブカバー６０と端子カバー５０が筺体１０の側面板１３に共締めされることで、バルブカバー６０と端子カバー５０が筺体１０の側面板１３に固定されるため、端子カバー５０とバルブカバー６０の取付作業性を良くすることができる。
【符号の説明】
【００２２】
１  室外機
１０  筺体
１１  天板
１２  前面板
１３  側面板
１３０  切欠孔
１３０ａ  上縁
１３０ｂ  側縁
１３１  端子台
１３２  係止孔
１３３  切欠部
２０  ファンガード
３０  端子
３１  配線
３１０  上部
３１１  下部
４０  バルブ
５０  端子カバー
５１  下部
５１０  共締用孔
５２、５３  係止片
６０  バルブカバー
６１  重合部
６１０  共締用孔
６２  膨出部
６２０  取手部
６２１  傾斜面
６３  係止片
【図１】
2014145567.tif 000003
【図２】
2014145567.tif 000004